【手続補正書】
【提出日】平成18年12月7日(2006.12.7)
【手続補正１】
【補正対象書類名】明細書
【補正対象項目名】全文
【補正方法】変更
【補正の内容】
【書類名】明細書
【発明の名称】光格納メディアに対する仮の反射性の読出し防止剤
【特許請求の範囲】
【請求項１】
基板層、基板層に結合したデータエンコード層、およびデータエンコード層に結合したラッカー層を備える光メディアであり、基板層の少なくとも一部の光特性が、初期化実行からの時間の関数として、少なくとも一部で変化することを特徴とする光メデイア。
【請求項２】
光メディアは光ディスクである請求項１記載の光メディア。
【請求項３】
光特性の変化は、透明度および屈性係数のからなるグループから選択された少なくとも１つの光特性の変化を含む請求項１記載の光メディア。
【請求項４】
データエンコード層は金属層である請求項１記載の光メディア。
【請求項５】
光メディアを収納するパッケージを更に備える請求項１記載の光メディア。
【請求項６】
初期化の実行は、パッケージを開放することである請求項１記載の光メディア。
【請求項７】
基板層の少なくとも一部は、光メディアの読み取り能力を変化させる動因を含む請求項１記載の光メディア。
【請求項８】
基板層の少なくとも一部の変化は、空気への暴露、光への露光、印加電圧の変化、機械的応力の印加、パッケージ内に含まれる少なくとも１つの反応物質への暴露、基板を通過するガスの浸透率の変化、基板を備える重合体の結晶化、基板の光非重合化、基板内の酸の光形成、または、基板内の一重項酸素の光生成、湿気の吸収の結果である請求項７記載の光メディア。
【請求項９】
基板層の少なくとも一部の変化が、データエンコード層に対し、少なくともその物理的特性に変化を生じさせる請求項８記載の光メディア。
【請求項１０】
動因は、酸化防止剤である請求項８記載の光メディア。
【請求項１１】
酸化防止剤は、有機金属化合物である請求項１０記載の光メディア。
【請求項１２】
動因は、少なくとも１つの光活性触媒である請求項８記載の光メディア。
【請求項１３】
動因は、吸湿質である請求項８記載の光メディア。
【請求項１４】
基板層に結合され、その基板層を破壊防止の状態に維持する電荷格納デバイスを更に備える請求項８記載の光メディア。
【請求項１５】
基板層、基板層に結合したデータエンコード層、およびデータエンコード層に結合したラッカー層を備える光メディアであり、データエンコード層の少なくとも一部は、初期化の実行からの時間の関数の少なくとも一部として、実質的に光反射状態から実質的に光非反射状態に変化することを特徴とする光メデイア。
【請求項１６】
光メディアは光ディスクである請求項１５記載の光メディア。
【請求項１７】
データエンコード層は金属層である請求項１５記載の光メディア。
【請求項１８】
光メディアを収納するパッケージを更に備える請求項１５記載の光メディア。
【請求項１９】
初期化の実行は、パッケージを開放することである請求項１５記載の光メディア。
【請求項２０】
基板層の少なくとも一部は、光メディアの読み取り能力を変化させる動因を含む請求項１５記載の光メディア。
【請求項２１】
基板層の少なくとも一部の変化は、空気への暴露、光への露光、印加電圧の変化、機械的応力の印加、パッケージ内に含まれる少なくとも１つの反応物質への暴露、基板を通過するガスの浸透率の変化の結果である請求項７記載の光メディア。
【請求項２２】
動因は、少なくとも１つの光活性触媒である請求項２０記載の光メディア。
【請求項２３】
基板層に結合され、その基板層を破壊防止の状態に維持する電荷格納デバイスを更に備える請求項２０記載の光メディア。
【請求項２４】
動因は、少なくとも１つの発色団である請求項２０記載の光メディア。
【請求項２５】
前記第１の金属層は、Ａｌ、ＭｇおよびＡｇからなるグループから選択された少なくとも１つの金属を含む請求項１７記載の光メディア。
【請求項２６】
ラッカー層は、イオン導電性である請求項１７記載の光メディア。
【請求項２７】
ラッカー層は、２−ハイドロキシエチルアクリレートの共重合体を含む請求項２６記載の光メディア。
【請求項２８】
前記ラッカー層は、ポリ(アクリロニトライル)、ポリ(４−ビニルピリジン)およびポリ(１−ビニリミディアゾーレ)からなるグループから選択された少なくとも一つの共重合体を含む請求項２６記載の光メディア。
【請求項２９】  前記ラッカー層は、ハイドロライズド ポリアクリレートラッカーを含む請求項２６記載の光メディア。
【請求項３０】
ラッカー層に結合された第２の金属層を更に備える請求項２６記載の光メディア。
【請求項３１】
第１の金属層の変化は、デンドライトの成長または、第２の金属層からイオン導電層を通じて第１の金属層への他の電気的な接続により、生じる請求項３０記載の光メディア。
【請求項３２】
前記第２の金属層は、銀、銅、金、プラチナおよびタリウムからなるグループから選択された少なくとも１つの金属である請求項３０に記載の光メディア。
【請求項３３】
反応性を有する基板を設け、
前記基板の上に反射層をコーティングし、
前記基板の光透過度を増すために、前記基板を還元環境に曝し、そして
基板の光透明度を維持するために、保護環境に曝すことを含む光メディアの製作方法。
【請求項３４】
光メディアは、光ディスクである請求項３３記載の方法。
【請求項３５】
基板の射出成形を用いて、塩とポリカーボネートのピレットとを混合するステップを更に備える請求項３３記載の方法。
【請求項３６】
塩は、不透明な合成物を生成するために、Ｏ2、ＣＯ2およびＨ2Ｏからなるグループから選択された少なくとも１つの大気中の成分と反応する請求項３５記載の方法。
【請求項３７】
前記還元環境は、不透明の合成物を分離し、還元環境下で透明な基板にする水素を含む請求項３６記載の方法。
【請求項３８】
請求項３５の方法により製作される光メディア。
【発明の詳細な説明】
【０００１】
（技術分野）
この発明は、一般に光メディアの分野に関する。より詳しくは、時間検出できる使い捨ての光メディアに関する。
【０００２】
（背景技術）
ＣＤやＤＶＤのような光デイスクは、自宅での使用のために消費者に市販およびレンタルされている。光デイスクの内容は、音楽、映画、ソフトウエアやデータである。不幸にも、ＣＤやＤＶＤの購入は高価である。その価格は、主に光デイスクの製造コストだけでなく、デイスクにエンコードされる映画やソフトウエアのような情報の価値にも関係する。映画スタジオやソフトウエア会社のようなコンテントのプロバイダは、市場で長寿命を持つそれらのものの安価なコピーを販売しようとしない。ＣＤおよびＤＶＤのレンタルは、顧客がその情報に安価でアクセスすることを可能にするが、期間内にそのレンタルを返却することのため不便である。ユーザーが安価で購入でき、市場でそれらの内容の寿命について、コンテントのプロバイダをアドレスできることが望ましく、現在のビデオテープの映画レンタルのように、返却しなくてはならない不便さを持たないことが望ましい。このような光デイスクを安価でかつ、現存の光デイスクの製造プロセスを変更を最小限にすることも望ましい。
【０００３】
（発明の開示）
（発明が解決しようとする技術的課題）
上述した低コスト、コンテントの限られた寿命、レンタル返却の回避および現在の製造プロセスへの最小の変更は、十分に達成されていない。これらの要求の全てを同時に指示する解決が必要とされている。この発明は、他も含め、これらの要求に合致することを目的とする。
【０００４】
（その解決方法）
発明の目的は、上述した、従来の場合の低コスト、コンテントの限られた寿命、レンタル返却の回避および現在の製造プロセスの最小の変更を同時に満足する。
【０００５】
本発明の１実施例は、基板、前記基板に結合される金層層、および前記金属層に結合されたラッカーを含む光デイスクに基づき、前記基板の光性質が前記基板を空気に曝すことに変化し、その曝しは、前記光デイスクに記録されたデータの読出し能力を低下させる。本発明の別の実施例は、光デイスクを含むパッケージに基づき、前記光デイスクは、基板、前記基板に結合された金属層、および前記金属層に結合したラッカーを含み、前記パッケージの開封が前記基板の光性質を変化させ、これにより、前記光デイスクに記録されたデータを読出す能力を低下させる。
【０００６】
この発明の別の実施例は、基板、前記基板に結合した金属層および前記基板に結合したラッカーを含む光デイスクに関し、前記基板および前記ラッカーからなるグループから選択された少なくとも一つの部材が、前記金属層の空気への制御された曝しを可能にし、これにより、前記光デイスクに記録されたデータの読出し能力を低下させる。この発明の他の実施例は、光デイスクを含むパッケージに関し、前記光デイスクは、基板、前記基板に結合された金属層、および前記金属層に結合されたラッカーを含み、前記パッケージの開封が前記金属層の反射性質を変化させるプロセスを起動し、これにより、前記光デイスクに記録されたデータの読出し能力を低下させる。
【０００７】
この発明のこれらのおよび他の目的および実施例は、以下の記述および添付図を参照することにより、より的確に理解できるであろう。しかしながら、この発明の好ましい実施例を示し、かつそれらの特定の詳細を示す以下の記述は、例示のためのものであり、限定するものでないことが理解されよう。本発明の本旨および範囲からそれることなく、この発明の趣旨内で多くの変更および変形がなされる。
【０００８】
この発明を構成する利点および特徴および、この発明で備えたモデルのシステムの動作の明白な概念は、例示を参照することにより、より容易となり、それゆえ、添付図面に記された実施例を限定せず、この明細書の一部を形成する。似た特性は同じパーツとして描いている。その図面に記された特徴は必ずしも原寸で描いていないことに注目される。
【０００９】
（発明を実施するための最良の形態）
この発明およびそれの種種の特徴および利点の詳細は、添付図に図示され、かつ好ましい実施例の以下を示した、限定しない実施例を参照してより詳細に説明される。よく公知のコンポーネントや処理技術の記述は、発明の詳細を不明瞭にさせないために省略される。
【００１０】
この発明の内容は光メディアからのデータ読出しを含む。光デイスクは、光メディアの特定の１つのクラスを示す。ＤＶＤ−ＲＯＭのサブの特定クラスは、あらゆるデジタル情報を含むことができる。ＤＶＤビデオは、標準のＤＶＤ−ＲＯＭに基づき、ＭＰＥＧ２およびドルビーデジタルによる標準に基づく。この発明は、相互接続された個別のハードウエアエレメント、例えばスタート、ストップを動作させるために、および／または、光メディア上のデータをアクセスするメディアリーダー(デバイス)の他の機能を動作させるために、光メディアにエンコードされたデータから生成された信号を変換するデータ処理方法を用いることができる。
【００１１】
この発明の概念は、例えば、時間−検知性の使い捨て可能なデジタルビデオデイスク(ＤＤＶＤ)のような使い捨て可能な光メディアを含む。ＤＶＤは、限られた時間の期間または限られた使用回数にのみ使用できるように、製造またはパッケージ化できるようになっている。
【００１２】
そのＤＶＤは、空気中の酸素と反応でき、そのため、気密のパッケージから一旦、取り出されると、データがならぶ表面の一部が不明瞭にされる。例えば、いくつかのプラスチックは、曇るか黒になる。
【００１３】
そのＤＶＤは、湿気あるいは他のガラスのような他の環境で反応でき、気密のパッケージから一旦取り出されると、表面は、ならぶデータの一部を不明瞭にする。また、いくつかのプラスチックは曇るか黒になる。
【００１４】
そのＤＶＤは、データを読み出すために用いられるレーザ光のような光に反応でき、数回読出しの後は再度読出すことはできない。これはフォトグラフィまたは露光により曇ることに似た、フォトケミカル処理である。
【００１５】
そのＤＶＤは、周囲の室内光に反応でき、数回読出し後は再度読み出すことはできない。これも、フォトグラフィまたは露光により曇ることに似た、フォトケミカル処理である。
【００１６】
時間経過でデータを破壊するようにセットしたパッケージＤＶＤから取り出された時、静電または機械的応答が反応が起きる。その実行は、小さいバッテリーにより、あるいは単に、ＤＶＤがパッケージから取り出された時に放たれたエネルギーにより、パワーオンされる。
【００１７】
パッケージからＤＶＤの取り出し、または、デバイス内での再生のプロセスが、いずれかの方法により、時間経時を開始させる。例えば、パッケージからＤＶＤの取り出しが、シールを破り、単面ＤＶＤのデータ側またはラベル側のいずれかが、ＤＶＤまたはパッケージの材料に含まれる反応物質に曝され、これにより、一定期間の後、またはある使用回数の後に、ＤＶＤを使えなくなるようにする。
【００１８】
ＤＶＤプレヤーは、ＤＶＤからいくつかの暗号化された認識情報を読出し、再度再生することを禁止する。このことは、ＤＶＤを活発に変調することにより、あるいは、この情報をプレヤー内にまたはネットワーク内に格納することにより実行される。
【００１９】
ある初期期間に対してはデータへの影響を最小にし、その後、データが急速に消失するように、その劣化は、可能なら比較的に急(Ｓ形態)にされる。例えば、ＤＶＤ内に、有限の制御された量の酸化防止剤を、酸素と反応する本体に沿って設けることにより、初期はデータを保護するが、その後は、酸化防止剤は消費され、ＤＶＤを急速にだめにする。
【００２０】
この発明は、コンパクトディスク(ＣＤ)、レーザディスク、ＣＤ―ＲＯＭ、テープその他のような関連するメディアに容易に適用できる。この発明の適用として、見ることを限定した映画の格納を含み、ビデオのレンタル市場に置き換わることができる。この発明の他の適用では、音楽、ソフトウエアや他のデジタル情報、音楽、ビデオ、ソフトウエア、データ、ゲーム、その他に対するメールオーダーのカタログの“試供”デイスク、いくつかの永久的な要素(例えば到来するアトラクション)と、限られた時間、完成したゲームとのハイブリッドデイスク、その他、を含む。
【００２１】
データが使用できる間の時間は、少なくとも数秒から数週間である。データが使用できる間の時間は、単一のプレイ、いくつかの限定した使用、あるいはランダムな個数の使用に限定できる。
【００２２】
所望の結果を得るために、デイスク上に特別な層は要求されない。一つの実施例では、周囲の環境に曝すことで、金属層の性能をだめにする。
【００２３】
“基板”という述語は、ここでは一つまたは複数の層に定義され、レーザが金属層上に当たる前にこの層を通過する。その基板はポリカーボネートであってもよく、周知の材料も使用できる。
【００２４】
ラッカーの用語は、ここでは、デイスクの裏面上の一つまたは複数の層に定義される。これらの層の一つまたは複数は、基板に対して用いたものと、同一かまたは似たものである。レーザ光はラッカーを通過できないものとしている。(ＣＤやＤＶＤ−５のような)典型的な片面デイスクは、基板とラッカーの間に反射性金属層を持つ。(ＤＶＤ−１０のような)両面デイスクでは、そのラッカーは典型的にデイスクの２つ面を互いに結合させるための層を有する。
【００２５】
一つの実施例では、この発明は、光デイスクを含み、そのデイスク上にき、データを含む金属層が外部環境から完全に保護されていない。例えば、表面の一部が意図的にラッカーまたは基板によりコーティングされていない。このことは、金属層の未保護部が外部環境により作用を受けることを可能にする。その反射性金属は、空気の成分と反応する。例えば、アルミニウム層は空気中の酸素により酸化され、酸化アルミニウムになる。外部環境に一定期間曝すと、金属層で反射される信号の質が低下し、低品質のデータとなり、さらには、デイスクからデータの読出しが不可となる。
【００２６】
劣化の速度は、金属により決まる。金属がマグネシウムまたは銀のとき加速され、金属がアルミニウムのときは減速される。もし、金属が第２の金属と電気的に接触しているなら、その劣化は加速される。例えば、アルミニウムと銀、金または銅との接触は劣化を加速させる。一般に、マグネシウムまたはアルミニウムが貴金属と接触すると、マグネシウムまたはアルミニウムの層の劣化が加速される。２つの金属が用いられたとき、劣化速度は、それらの曝される領域の比によって調節できる。２つの異なる金属が重なり合うフイルムのとき、劣化速度はこの重なり合いによっても決定される。
【００２７】
表面全体を未保護にする必要はない。例えば、光デイスクのキー部分(デイスクの残りのを読み出すのに必要となるデータを含む)のみ未保護にするだけで十分である。
【００２８】
基板またはラッカーの厚さ、質または組成を制御することにより、光デイスクの金属層が劣化するために必要となる時間を制御できる。たとえば、基板またはラッカーは、金属層に達する、酸素、窒素、水または水素硫化物の流動が層の厚さの関数となるように選択されてもよい。これとは別に、基板またはラッカーを含む金属は、等しい厚さの層が、酸素、水、水素硫化物に対して異なる透過性を持つように選択されてもよい。このような方法により、破壊性環境に曝した後、所望の時間後に、たとえば１時間後、６時間後、２４時間後、４８時間後、７２時間後または１週間後に、損なうように光デイスクを設計できる。
【００２９】
別の実施例
同じ機能を達成する別の構成は、基板そのものが時間経過により変化するものである。基板の変化は、その光性質を変化させ、これにより、リーダーに到達する信号を劣化させる。これらの光性質は、屈折係数またはその透明度を含む。
【００３０】
更に、基板の変化は、下層の金属層に対し、既述したように、その光特性を変化させることができる。このようにして、時間−検知できる基板および／またはラッカーは、非反射性となる反射性層と結合できる。
【００３１】
ポリマーフイルムの透明度は、フイルムと水との反応、フイルムと酸素との反応、またはポリマーの結晶化(これはフイルム内のポリマー分子の配列が増したことを意味する)により変化する。
【００３２】
例として、基板は、空気中の成分、例えば酸素や水により変化するように選択できる。たとえば、酸素は、基板を酸化させ、その透明度またはその屈折率を変化させる。これとは別に、基板は、空気中の水分を吸収するように設計でき、これにより、基板を膨張させるか、その光性質を変化させる。別の例は、基板が酸素の透過度を時間経過で変え、これにより、金属層の酸化を可能にする。後者の場合、光メディアの全体的な時間検知性は、基板および／またはラッカーおよび反射性層の双方の特性の関数となる。
【００３３】
基板または金属層は特定波長の光に検知できるようにも形成できる。これらの波長に曝すと、層の光性質が変化し、これにより、リーダーに到達する信号を低下させる。例は、基板のフォトデポリマリゼーション(photodepolymerization)、酸のフォトジェネレーション(photogeneration)、単一の酸素のフォトジェネレーション(photogeneration)、およびポリマーの破損(例えばクロスリンクによる水素結合の分裂)を含む。基板または金属層への光作用される触媒がこのプロセスを加速する。
【００３４】
好ましくは、デイスクのデータの質は目的とする使用期間の間は高く維持され、その後、急速に崩壊する。これを達成する一つの方法は、デイスク上のラッカーの上に金属性の銀の層をプリントすることである。大気に曝すと、銀はカソード、アルミニウムはアノードとして機能し、カソード上にＯ2が生成される。短期間で銀とアルミニウムの層間で発展させるなら、腐食が高速である。短時間の発展は、ラッカーを通じて銀結晶の成長に起因する。
【００３５】
ラッカーを通して結晶を発達させるには、いくらかのイオン導電性を有するラッカーを用いるのが望ましい。典型的に、ラッカーはポリアクリレートである。もしポリアクリレートが僅かに水素化されたなら、または、２水素エチールアクリレートの共重合体なら、いくらかのイオン導電性がある。ポリ(アクリリロニトライル)、またはポリ(４−ビニルピリジン)またはポリ(１−ビニルイミダゾール)の共重合が好ましい。これらのすべては、銀、銅またはテリウムイオン(Ａg、ＣuまたはＴｉ)を導通させるべきである。テリウムは、有毒性のため好ましくない。
【００３６】
化学式は以下の通りである。
銀が空気により酸化される。
４Ａg＋Ｏ2→Ａg2Ｏ(ラッカーで化合物にされる)
Ａg2Ｏ＋Ｈ2Ｏ＋化合物→２Ａg+(化合物)＋２ＯＨ
Ａg+はアルミニウムにより減少し、アルミニウムは酸化される(もし、Ａg+に導通させるように設計されたなら、ラッカー内でＡg+が移動できるなら)
Ａl３＋＋３ＯＨ→Ａl(ＯＨ)３→Ａｌ(Ｏ)ＯＨ＋Ｈ２０
Ａｇ+＋Ａl→Ａl3＋３Ａg0
【００３７】
銀の結晶化はアルミニウムから銀への成長で開始する。２つの層が短絡されたとき、バッテリーの(Ａl)アノードと(Ａg)カソードが閉じられる。腐食が急速となり、だめになる。当業者なら、他の同様な金属がこの例でのＡlやＡgを置き替えることが可能であることを認識されよう。
【００３８】
与えられた適した基板、アルミニウムおよび銀のコーティングは、スパッターにより堆積できる。ラッカーはスピンによりコーティングされる。
【００３９】
この発明の別の態様は、本セクションで述べたような劣化可能な光デイスクを含み、これは、不良にする外部の刺激物から保護するエンクロージャー内にパッケージされる。例えば、上述した光デイスクは、２酸化カーボン、酸化窒素またはアルゴンのようなガスを含む金属箔のパッケージ内にパッケージすることができる。パッケージ内のガス圧は、好ましくは１torr以下の別の大気圧にされる。アルゴンのようなガスの挿入が好ましい。これは、光デイスクを、酸素、水、および／またはある波長の光から保護するのに役立つ。
【００４０】
この発明の他の態様は、上述した劣化可能な光デイスクの製造法である。この方法は、デイスクの一部または全部をカバーするように、金属層の上に上述した基板またはラッカーをコーティングし、所定の環境の刺激物に曝した時、デイスクからの光信号が劣化する。
【００４１】
この発明の別の態様は、劣化可能な光デイスクの製造法であり、基板の光性質および／または金属層の反射特性を、部分的にまたは全部を反転させるようにして、変え、これにより、光デイスク上のデータを読む能力を全部または部分的に低下させるプロセスを有する。
【００４２】
その後、デイスクは、先のステップの影響の一部または全部を取り戻す“可逆の環境”に曝される。そのデイスクは次に“保護環境”(可逆の環境と同じまたは異なっていてもよい)内にパッケージされる。パッケージの開放が、“保護環境”が失われ、そして／または酸素、大気、および／または光の外部状態に曝され、所定の期間内に、デイスクからデータを読む能力が喪失する。デイスクの最後の劣化を復元するのは困難であるか、不可能であることが望ましい。例えば、基板の射出成型時に用いられるポリカーボネートのピレットにある塩を混ぜることができる。射出成型の間、これらの塩は酸素、カーボンおよび／または水と反応して、基板の光性質を変える透明化合物が生成される。一般の製造プロセスのステップ後に、光デイスクは、化学的に還元された水素環境下にされ、ポリカーボネート基板が読出しレーザに対して透明になるようにされる。その後、デイスクは水素環境下にパッケージされる。パッケージの開放が、還元用水素が消失し、大気中の酸素、湿気、酸化カーボンに曝され、ポリカーボネート基板は制御された時間経過後、不透明になる。
【００４３】
この発明の別の態様は、光デイスクがパッケージから取り出された時、データの時限破壊動作をセットする機械的デバイスである。一つの実施例では、パッケージからデイスクの取り出しが気密を破り、片面デイスクのデータ側またはラベル側のいずれかを、デイスク自身にまたはパッケージ材料のいずれかに含まれる反応剤に曝し、これにより、所定期間後または所定の見た回数後に、デイスクを使えなくするプロセスが作用する。例えば、還元用ガスがデイスクから離れたパッケージの部屋に格納できる。そのデイスクは、基板または金属の酸化を防止する保護層を含む。そのパッケージは、最初にパッケージが開放された時、気密が破られ、還元用ガスがデイスク表面に接触し、これにより保護層が破壊されるように、設計される。保護層によって酸化が保護されていた基板または金属層は、その後、上記のごとく空気により酸化する。
【００４４】
これとは別に、データの時限破壊が、デイスクをパッケージから取り出した時、小さいバッテリーにより給電された電流または電荷または簡単なエネルギー放出により、開始され得る。例えば、復元できる発色団を使用できる。その発色団は、電位が印加された時、色なし状態に減じられる。その電位が除去された時、発色団は、空気中の酸素による酸化により、次第に再発生される。再発生された状態では、発色団は光を吸収する。
【００４５】
これとは別に、小さなバッテリーのような電荷格納デバイスをパッケージ材料に組み込み、デイスクのデータ読出し能力を破壊する反応を禁止する電界を発生させることができる。パッケージから光デイスクを取り出す過程で、禁止用の電界を遮断し、これにより、デイスクのデータ読出し能力を破壊するプロセスにトリガーを与える。例えば、バッテリーは、金属層に電位を与え、金属層を別の状態に維持する。その電位が除去されたとき、金属層は、空気中の酸素のような酸化剤と接触して、酸化される。
【００４６】
この発明の別の態様は、劣化可能な光デイスクの製造方法および、それを容器に、または／および、デイスクをダメにする環境刺激物から保護する、雰囲気中にパッケージする方法である。この発明は更に、製造時に、および／又はパッケージする時に、完成された光デイスクをダメにする環境刺激物に曝す制御法を含む。例えば、今日製作される光デイスクは、パッケージされる前に、かなりの時間の間、未パッケージで置かれるかも知れない。このような時間ラグは、デイスクがパッケージされる前に、この発明の光デイスクの信号特性を重大に劣化させるかも知れない。それゆえ、光デイスクは、その製造から２４時間以内に、好ましくは８時間以内に、より好ましくは１時間以内に、そして最も好ましくは３０分以内に、保護的環境および／または雰囲気中にパッケージすべきである。別の言い方では、光デイスクは、劣化させる期間の２０％以下、好ましくは１０％以下の時間で、保護的環境および／または雰囲気中にパッケージすべきである。
【００４７】
未パッケージの光デイスクを、それを劣化させない環境下で製造および／または格納することも可能である。そのような環境は、例えば、窒素雰囲気、実質的に真空、または制御された光である。そのようなアプローチは、これらの特殊な環境は高コストにつながるので、にデイスクを即座に保護容器におよび／または雰囲気中にパッケージすることに比較してより高価となる。
【００４８】
この発明の別の態様は、デイスクを、それを不良にする環境刺激物から保護する、容器および／または雰囲気中にパッケージし、その後、そのパッケージを開け、そしてそれを不良にする環境刺激物に曝す、上述した光デイスクの使用法である。
【００４９】
ある初期期間に対しては劣化のレベルを最小にし、そしてその後は劣化を加速し、光デイスクからデータの読出し能力を急速に低下させることが望ましい。これを達成する一つの方法は、既述したように、ラッカーを通じて結晶の成長である。これを達成する別の手段は、酸素と反応する基板に対して、有限で制御された量の非酸化剤を含むことである。この非酸化剤は、非酸化剤が消耗されるまで、酸化反応からデータを保護し、その時点から急速に劣化する。例えば、酸素と反応する有機化合物がデイスクと共に容器にパッケージされ、その状態ではデイスクは酸化から防止される。これとは別に、その有機化合物が基板に組み込まれ、これにより、所定期間、金属層の保護が持続し、その後、容器が開放される。
【００５０】
ここで用いた用語、結合は、接続されたことを意味するが、必ずしも直接的でなくてもよく、又、機械的でなくてもよい。ここで用いた用語、実質的には、ほぼということである(例えば好ましくは１０％以下、より好ましくは１％以下、最も好ましくは０．１％以下)。
【００５１】
基板に対して用いた特定の材料は、いずれかの透明体の基板である。ポリマー材料は、好ましくは、ポリカーボネート、アクリリック(ポリメチルメタリレラートＰＭＭＡ)またはポリオレフィンである。製造工程に対しては、ポリカーボネートが好ましい。
【００５２】
しかしながら、基板に対して選択された特定材料は、記述された機能を与えるもので、この発明で本質ではない。通常、この発明を適用する人であれば、コストおよび利用性の経済性と、最終製品の期待されるアプリケーションの要求、および、全体の製造プロセスの要求に基づき商業利用できる最適な材料を選択するであろう。
【００５３】
いずれの特定の性能の提示または診断的な検証も限定していないが、この発明の好ましい実施例は、光特性の正確かつ精密な時限検知の劣化に対する試験による時間として確認されている。より詳しくは、劣化の開始および期間の双方は予測可能とすべきである。突然の劣化(短期間の劣化)が好ましく、例えば、ほぼ１時間である。たとえば、この発明の好ましい実施例は、一つずつのテストにより、開始(例えば空気への曝し)から、狭い標準の区域の存在に対し、５０％の光劣化(５０％の透明度の喪失、５０％の反射率の喪失)が確認されている。多くの他の光試験(たとえば材料特性)も可能である。
【００５４】
実施例
この発明の特定の実施例を、詳細の種々の特徴の重要さを示す、の限定しない実施例により更に以下に述べる。その実施例は、単に発明が実施される方法の理解を容易にするため、および当業者がこの発明を実施できるように、になされている。したがって、その実施例は、この発明の範囲を限定するものではない。
【００５５】
実施例１
図１ａ−１ｂを参照すると、仮の透過性リードの酸化防止剤を有するデイスク１００の側面図を示す。光デイスク１００は、基板１１０、反射性層１２０およびラッカー層１３０を含む。図１ａは、第１の状態の光デイスク１００を示し、基板１１０は実質的に光透過する。図１ｂは、第２の状態の光デイスク１００を示し、基板は実質的に光学的に不透明となっている。第１の状態から第２の状態への変化は、少なくとも初期化させる出来事、好ましい実施例では、パック時、出荷時または販売の間に、光デイスク１００を閉じ込めている、ガスを実質的に通過させない部材(不図示)の開放から時間の関数である。
【００５６】
実施例２
図２ａ−２ｂを参照すると、仮の反射性リードの酸化防止剤を有するデイスク２００の側面図を示す。光デイスク２００は、基板２１０、エンコードされたデータ要素２２０およびラッカー層２３０を含む。この例では、エンコードされたデータ要素２２０は、金属の薄いフイルムである。図２ａは、第１の状態の光デイスク２００を示し、エンコードされたデータ要素２２０は、実質的に光反射性である。図２ｂは、第２の状態の光デイスク２００を示し、エンコードされたデータ要素２２０は、実質的に光不透過である。第１の実施例と同じように、第１の状態から第２状態への変化は、少なくとも初期化させる出来事、第２の実施例では、パック時、出荷時または販売の間に、光デイスク２００を閉じ込めている、実質的に気密の薄いポリマー容器(不図示)の開放から時間の関数である。
【００５７】
この発明の実際の適用
技術的分野で価値を持つこの発明の実際の適用は、時間検知可能な光メディアである。更にこの発明は、ＤＶＤ−ＲＯＭ(ソフトウエアの目的で使用されるような)、ＤＶＤ−オーディオ(音楽の目的のために使用されるような)、ＤＶＤ−ビデオ(映画の目的のために使用されるような)、またはこれと同様なものに対して有用である。この発明に対して無数の適用があり、それらのすべてはここでは詳細に示さない。
【００５８】
この発明の利点
この発明の実施例を示す、時間検知できる特性を有する光メディアは、価格が妥当で少なくとも以下の理由により有利である。この発明は、ローコストのレンタル製品を可能にする。この発明は、固有の限られた内容の寿命を持つ製品を生成する。この発明は、レンタルの返却を不要にする。この発明は、この発明は、存在する製造プロセスへの変化を最小にする。
【００５９】
ここで述べられたこの発明のすべての開示された実施例は、不便な経験をすることなく、実現でき実行できる。発明者により熟考されたこの発明を実行する最良のモードは、上述したが、その発明の実行はそれに限定されない。従って、当業者に理解されるように、ここで特定的に述べた以外に実施できる。
【００６０】
例えば、個々の要素は開示した形状に形成される必要はなく、開示した構成に組立てられる必要はなく、等価的にいずれの形状に、および等価的にいずれの構成に組立てられてもよい。更に、個々の要素は、開示した材料で組立てられる必要はなく、等価的に他のいずれの適した材料によっても組立てできる。更に、ここで述べた光メディアは、物理的に個別のモジュールであったが、光メディアを関連した装置に一体化することも明白である。更には、すべての開示された要素およびそれぞれ開示した実施例の特徴は、開示した要素および他に開示した各実施例の特徴が互いに排他的でない限り、それらと結合または置き換えができる。
【００６１】
種々の追加、変更および本発明の特徴の再構成が発明概念の趣旨および範囲から外れることなく実施できることは明白である。この発明の範囲は、添付したクレームおよび、このような追加、変更および再構築すべてをカバーする等価のものにより限定される。添付したクレームは、手段プラス機能、限界を含むものとして説明されていない。発明の都合のよい実施例は、添付のサブクレームにより区別される。
【図面の簡単な説明】
【図１】仮の透過性リードの酸化防止剤を有するデイスク１００の側面図を示す。
【図２】仮の反射性リードの酸化防止剤を有するデイスク２００の側面図を示す。